(57)【特許請求の範囲】
【請求項１】
複数の通話チャネルを有して時分割多元接続された複数の基地局と複数の移動端末局との間で、誤り検出符号または誤り訂正符号が付加された送信信号を受信し、該受信された誤り検出符号または誤り訂正符号に基づくフレーム誤り数を一定時間毎に検出する検出手段と、
前記検出手段により検出されたフレーム誤り数またはフレーム誤り数の移動平均値が第１しきい値を越えたことを判定する第１の判定手段と、
前記検出手段により検出されたフレーム誤り数またはフレーム誤り数の移動平均値が前記第１しきい値より小さく設定された第２しきい値を越えたことを判定する第２の判定手段と、
前記検出手段により検出された今回のフレーム誤り数と前回のフレーム誤り数との差分の移動平均値が所定の差分しきい値以下であることを判定する第３の判定手段と、
前記第１〜第３の判定手段による判定結果に基づいて干渉を検出する干渉検出手段と、
を具備することを特徴とする時分割多元接続の無線装置における干渉検出装置。
【請求項２】
複数の通話チャネルを有して時分割多元接続された複数の基地局と複数の移動端末局との間で、誤り検出符号または誤り訂正符号が付加された送信信号を受信し、該受信された誤り検出符号または誤り訂正符号に基づくフレーム誤り数を一定時間毎に検出する検出手段と、
前記検出手段により検出されたフレーム誤り数またはフレーム誤り数の移動平均値が第１しきい値を越えたことを判定する第１の判定手段と、
前記検出手段により検出されたフレーム誤り数またはフレーム誤り数の移動平均値が前記第１しきい値より小さく設定された第２しきい値を越えたことを判定する第２の判定手段と、
前記検出手段により検出された今回のフレーム誤り数またはフレーム誤り数のと前回のフレーム誤り数との差分の移動平均値が所定の差分しきい値以下であることを判定する第３の判定手段と、
前記第１の判定手段による判定、または前記第３の判定手段による判定を満たしたときに、前記複数の通話チャネルのうちの現在使用されている通話チャネルを他の通話チャネルに切り替えるチャネル切替手段と、
を具備することを特徴とする時分割多元接続の無線装置における干渉防止装置。
【請求項３】
前記第１の判定手段は、前記検出手段により検出されたフレーム誤り数またはフレーム誤り数の移動平均値が前記第１しきい値を所定回数以上に連続して越えたことを判定することを特徴とする請求項１または２に記載の時分割多元接続の無線装置における干渉検出装置または干渉防止装置。
【請求項４】
前記検出手段は、１．２秒毎にフレーム誤り数を検出することを特徴とする請求項１、２または３に記載の時分割多元接続の無線装置における干渉検出装置または干渉防止装置。
【請求項５】
前記複数の通話チャネルは、音声送受データと文字データと画像データの少なくとも１つのデータで形成されている請求項１ないし３のいずれかに記載の時分割多元接続の無線装置における干渉検出装置または干渉防止装置。
【発明の詳細な説明】
【０００１】
【発明の属する技術分野】
本発明は、時分割多元接続の無線装置における干渉検出装置及び防止装置に関し、特に、デジタルコードレス電話及び簡易型携帯電話（以下、「ＰＨＳ」と称する）等のディジタル無線方式を使用して複数の基地局と複数の移動局との間で時分割多元接続を行う無線装置における干渉検出装置及び防止装置に関する。
【０００２】
【従来の技術】
複数の基地局と複数の移動端末局との間で時分割多元接続を行う無線装置の一例としてデジタルコードレス電話システムがあり、具体的には図４に示すように構成されている。即ち、第１基地局１は、図示しないＰＢＸ（交換機）等に有線または無線で一端が結合された接続ライン２の他端に接続され、その送受領域は第１基地局１を中心とする略円形の第１エリア３となっている。
【０００３】
また、第１基地局１に隣り合って第２基地局４が設けられ、この第２基地局４にも図示しないＰＢＸ（交換機）等に有線または無線で一端が結合された接続ライン５の他端に接続され、その送受領域は前述の第１エリア３に一部が重なり合う第２エリア６となっている。
従って、第１エリア３と第２エリア６の中で移動端末機器７による所定の双方向通信を行うことができる。
【０００４】
なお、この例は、接続ライン２と接続ライン５のそれぞれが接続される第１基地局１と第２基地局４の間にはシステム間同期（フレーム同期）が確立されていない場合である。
【０００５】
この場合、移動端末局７が符号ａで示す場所に位置する場合の双方向通信は、第１基地局１による第１エリア３の範囲を外れていて第２基地局４による第２エリア６のみに位置するので第１基地局１は通話エリア外となり第２基地局４とのみ通話可能となる。
【０００６】
また、移動端末局７が符号ｃで示す場所に位置する場合の双方向通信は、第２基地局４による第２エリア６の範囲を外れていて第１基地局１による第１エリア３のみに位置するので第２基地局４は通話エリア外となり第１基地局１とのみ通話可能となる。
【０００７】
一方、移動端末局７が符号ｂで示す場所に位置するときの双方向通信は、第１基地局１による第１エリア３の範囲と第２基地局４による第２エリア６の重なりあった範囲に位置するので、第１基地局１による送受信電波Ａと第２基地局４による送受信電波Ｂの両方に対して双方向通信することができる。
【０００８】
従って、移動端末局７が符号ｂで示す場所に位置するときの双方向通信は、第１基地局１の第１電波Ａと第２基地局４の第２電波Ｂの両方が関与することになり、第１電波Ａが希望波となり第２電波Ｂが妨害波となったり、逆に第２電波Ｂが希望波となり第１電波Ａが妨害波になってしまう場合が存在する。
【０００９】
このために、第１基地局１と第２基地局４からのそれぞれの電波のうちの望ましい方の電波を用いて双方向通信を行うように基地局の選択を行っている。
【００１０】
このチャネル切替は、第１基地局１から誤り訂正符号が付加された送信電波（送受信電波Ａ）が移動端末局７に送信され、移動端末局７でこれを受信し、図５に示すような手順で行われる。具体的には、先ずステップＳ１で受信された誤り訂正符号に基づくフレーム誤り数が一定時間毎、例えば１．２秒毎に検出される。次のステップＳ２でフレーム誤り数の移動平均計算が行われて移動平均値が求められ、フレームエラー数ＦＥＲ（図６参照）が求められる。次のステップＳ３で所定のしきい値Ｆ１（図６参照）を越えているか否かが判定され、ＮＯの場合には、フレームエラー数ＦＥＲが少なく満足の行く送受信が行えるために、移動端末局７の送受信制御等々を行うための正規のステップＳに移行する。
【００１１】
一方、ステップＳ３でＹＥＳの場合には、フレームエラー数ＦＥＲが多くデータ誤りや各種の通信障害を受ける可能性が大であるためにステップＳ４に移行して現在使用中の通話チャネルを他のチャネル、例えば現在使用中のチャネルが第１基地局１による送受信電波Ａであった場合には、第２基地局４による送受信電波Ｂに切り替えたり、または、現在使用中のチャネルが第２基地局４による送受信電波Ｂであった場合には、第１基地局１による送受信電波Ａに切り替えを行うことによって満足の行く送受信を行うことができる。
【００１２】
従って、現在使用中の通話チャネルを他のチャネルに切り替える場合は、図７に示すようにフレームエラー数ＦＥＲが所定のしきい値Ｆ１を越えている斜線範囲となり、この範囲が電波干渉による悪影響を防止できる範囲となる。
【００１３】
【発明が解決しようとする課題】
従来の時分割多元接続の無線装置における干渉防止装置は、電波干渉による悪影響を防止できる範囲は、図６と図７に示すようにフレームエラー数ＦＥＲが所定のしきい値Ｆ１を連続的に越えた場合であり、殆どの場合に電波干渉防止を図ることができる。
【００１４】
しかし、図８に示すように、所定のしきい値Ｆ１未満の少ないフレームエラーが連続して発生した場合には、現在使用されている通話チャネルを他の通話チャネルに切り替える動作が行われない。
【００１５】
従って、通話にノイズが乗ったりデータ誤りが生じる可能性が高くなり円滑な送受信を行えなくなる虞がある。
【００１６】
なお、所定のしきい値Ｆ１を非常に小さく設定すれば、少しでもフレームエラーが生じたときに現在使用されている通話チャネルを他の通話チャネルに切り替える動作を行うことが考えられるが、このようにすると、通話チャネルの切り替えが頻繁に行われ、回線トラフィックを著しく阻害し本来の通信機能を達成することができないため、問題の解決策とはなり得ないものである。
【００１７】
そこで、本発明の目的は、現在使用されている通話チャネルを他の通話チャネルに切り替える動作を極めて頻繁に行なって本来の通信機能を阻害することなく、良好な通話とエラーの極めて少ないデータ伝送を行うことができる時分割多元接続の無線装置における干渉検出装置及び防止装置を提供することにある。
【００１８】
【課題を解決するための手段】
前述の課題を解決するため、本発明による時分割多元接続の無線装置における干渉検出装置及び防止装置は、次のような特徴的構成を採用している。
【００１９】
（１）複数の通話チャネルを有して時分割多元接続された複数の基地局と複数の移動端末局との間で、誤り検出符号または誤り訂正符号が付加された送信信号を受信し、該受信された誤り検出符号または誤り訂正符号に基づくフレーム誤り数を一定時間毎に検出する検出手段と、
前記検出手段により検出されたフレーム誤り数またはフレーム誤り数の移動平均値が第１しきい値を越えたことを判定する第１の判定手段と、
前記検出手段により検出されたフレーム誤り数またはフレーム誤り数の移動平均値が前記第１しきい値より小さく設定された第２しきい値を越えたことを判定する第２の判定手段と、
前記検出手段により検出された今回のフレーム誤り数と前回のフレーム誤り数との差分の移動平均値が所定の差分しきい値以下であることを判定する第３の判定手段と、
前記第１〜第３の判定手段による判定結果に基づいて干渉を検出する干渉検出手段と、
を具備する時分割多元接続の無線装置における干渉検出装置。
【００２０】
（２）複数の通話チャネルを有して時分割多元接続された複数の基地局と複数の移動端末局との間で、誤り検出符号または誤り訂正符号が付加された送信信号を受信し、該受信された誤り検出符号または誤り訂正符号に基づくフレーム誤り数を一定時間毎に検出する検出手段と、
前記検出手段により検出されたフレーム誤り数またはフレーム誤り数の移動平均値が第１しきい値を越えたことを判定する第１の判定手段と、
前記検出手段により検出されたフレーム誤り数またはフレーム誤り数の移動平均値が前記第１しきい値より小さく設定された第２しきい値を越えたことを判定する第２の判定手段と、
前記検出手段により検出された今回のフレーム誤り数またはフレーム誤り数のと前回のフレーム誤り数との差分の移動平均値が所定の差分しきい値以下であることを判定する第３の判定手段と、
前記第１の判定手段による判定、または前記第３の判定手段による判定を満たしたときに、前記複数の通話チャネルのうちの現在使用されている通話チャネルを他の通話チャネルに切り替えるチャネル切替手段と、
を具備する時分割多元接続の無線装置における干渉防止装置。
【００２１】
（３）前記第１の判定手段は、前記検出手段により検出されたフレーム誤り数またはフレーム誤り数の移動平均値が前記第１しきい値を所定回数以上に連続して越えたことを判定する上記（１）または（２）の時分割多元接続の無線装置における干渉検出装置または干渉防止装置。
【００２２】
（４）前記検出手段は、１．２秒毎にフレーム誤り数を検出することを特徴とする上記（１）、（２）または（３）の時分割多元接続の無線装置における干渉検出装置または干渉防止装置。
【００２３】
（５）前記複数の通話チャネルは、音声送受データと文字データと画像データの少なくとも１つのデータで形成されている上記（１）ないし（３）のいずれかの時分割多元接続の無線装置における干渉検出装置または干渉防止装置。
【００２４】
【発明の実施の形態】
以下、本発明の実施の形態について添付図面を参照しながら説明する。図１は、本発明による時分割多元接続の無線装置における干渉検出装置及び防止装置が適用できるＰＨＳの移動端末局７の概略構成を示すブロック回路図であり、この移動端末局７は、従来の技術の項で説明した図４に示す全体システム図に用いられるものである。
【００２５】
移動端末局７は、無線部７ａとベースバンド部７ｂと制御部７ｃで構成され、この無線部７ａは、複数の通話チャネルを有して時分割多元接続された複数の基地局と複数の移動端末局７，７…との間で、基地局から送信される「誤り検出符号または誤り訂正符号が付加された送信信号」を受信し、逆に基地局に対して通話音声信号等を送信するためのものである。
【００２６】
また、ベースバンド部７ｂには、無線部７ａで受けられた受信信号に含まれるＵＷ（ユニークワード）の検出できなかったスロット及びＣＲＣエラーが検出されたときにフレーム誤りとしてその数を一定時間（例えば１．２秒）毎に計数する機能がある。また、検出されたフレーム誤り数ＦＥＲが第１しきい値Ｆ１を越えたことを判定する第１の判定手段と、検出されたフレーム誤り数ＦＥＲの移動平均値が第１しきい値Ｆ１より小さく設定された第２しきい値Ｆ２を越えたことを判定する第２の判定手段と、検出された今回のフレーム誤り数と前回のフレーム誤り数との差分移動平均値が所定の差分しきい値Ｄ１以下であることを判定する第３の判定手段とを有している。
【００２７】
制御部７ｃは、中央処理装置が設けられ、この中央処理装置により送受信制御等の制御を複合的に行わせるための実行プログラムには、前述の第１ないし第３の判定手段を実行させるプログラムを包含させてある。さらに、その実行プログラムには、検出手段と前記チャネル切替手段を実行させるプログラムも包含されている。
【００２８】
さらに、この制御部７ｃには、記第１の判定手段による判定、または、第３の判定手段による判定を満たしたときに、前記複数の通話チャネルのうちの現在使用されている通話チャネルを他の通話チャネルに切り替えるためのチャネル切替手段を有している。
【００２９】
移動端末局７による送受信を形成する複数の通話チャネルは、音声送受データと文字データと画像データの少なくとも１つのデータで形成されている。
【００３０】
従って、その要部の動作は、従来の技術の項で説明した図５に示すフローチャートのステップＳ３とステップＳの間と、ステップＳ３とステップＳ４の間にステップＳ６からステップＳ９でなるステップＳ５を追加したものとなる。
【００３１】
具体的には、ステップＳ３の次のステップＳ６で、ベースバンド部７ｂで検出されたフレーム誤り数の移動平均値が第１しきい値Ｆ１より小さく設定された第２しきい値Ｆ２（図３参照）を越えたことを判定し、ＮＯの場合には正規のステップＳを実行する。
【００３２】
一方、ステップＳ６がＹＥＳの場合には、次のステップＳ７に移行し、今回のフレーム誤り数と前回のフレーム誤り数との差分が計算され、次のステップＳ８でその差分の移動平均値が計算され、次のステップＳ９で差分の移動平均値が所定の差分しきい値Ｄ１（図３参照）以下であることを判定する。
【００３３】
ステップＳ９でＮＯの場合には、連続的なフレームエラーが発生していないため満足の行く送受信が行えるので、移動端末局７の送受信制御等々を行うための正規のステップＳに移行する。
【００３４】
一方、ステップＳ９がＹＥＳの場合には、連続的にフレームエラーが発生してデータ誤りや各種の通信障害を受けているためにステップＳ４に移行して現在使用中の通話チャネルを他のチャネル、例えば現在使用中のチャネルが第１基地局１による送受信電波Ａであった場合には、第２基地局４による送受信電波Ｂに切り替えたり、または、現在使用中のチャネルが第２基地局４による送受信電波Ｂであった場合には、第１基地局１による送受信電波Ａに切り替えを行うことによって満足の行く送受信を行うことができる。
【００３５】
従って、現在使用中のチャネルが切り替えられるのは、図３に示すようにフレームエラー数ＦＥＲが所定のしきい値Ｆ１を越えている従来同様の斜線範囲と、それに連続するフレームエラー数ＦＥＲが所定のしきい値Ｆ１を下回り、かつ、今回のフレーム誤り数と前回のフレーム誤り数との差分移動平均値が所定の差分しきい値Ｄ１以下である領域まで拡大される。
【００３６】
これは、従来の技術の項で説明した図８に示すように所定のしきい値Ｆ１未満の少ないフレームエラーが連続して発生した場合に、現在使用されている通話チャネルを他の通話チャネルに切り替える動作が従来は行われなかった領域まで本発明の実施の形態では行われることになる。
【００３７】
よって、従来のように当該領域では通話チャネルの切り替えが行われないことに起因する問題がなくなり、通話にノイズが乗ったりデータ誤りが生じる可能性が殆どなく円滑な送受信を行うことができる。
【００３８】
【発明の効果】
以上の説明で明らかなように、本発明は、前述の第１ないし第３の判定手段による判定、または、前記第３の判定手段による判定を満たしたときに、前記複数の通話チャネルのうちの現在使用されている通話チャネルを他の通話チャネルに切り替えるように構成されているので、所定のしきい値未満の少ないフレームエラーが連続して発生した場合においても、現在使用されている通話チャネルを他の通話チャネルに切り替える動作が行われるので、通話にノイズが乗ったりデータ誤りが生じる虞がなく、円滑な送受信を行なうことができる。
【００３９】
従って、現在使用されている通話チャネルを他の通話チャネルに切り替える動作を極めて頻繁に行なって本来の通信機能を阻害することなく、良好な通話とエラーの極めて少ないデータ伝送を行うことができる時分割多元接続の無線装置における干渉防止装置を提供することができる。
【図面の簡単な説明】
【図１】本発明の一実施の形態による時分割多元接続の無線装置における干渉検出装置及び防止装置が適用される移動端末局のブロック回路図である。
【図２】図１に示される移動端末局の動作を示すタイムチャートである。
【図３】図１に示される移動端末局の通話チャネルの切り替え可能範囲を示す線図である。
【図４】従来および本発明による時分割多元接続の無線装置における干渉検出装置及び防止装置を適用できるコードレス電話システムの概略システムの構成図である。
【図５】従来の移動端末局の動作を示すタイムチャートである。
【図６】フレーム誤り数の検出例を示す測定図である。。
【図７】従来の移動端末局の通話チャネルの切り替え可能範囲を示す線図である。
【図８】本発明で検出可能なフレーム誤り数の検出例を示す図である。
【符号の説明】
１    第１基地局
２    接続ライン
３    第１エリア
４    第２基地局
５    接続ライン
６    第２エリア
７    移動端末機器
７ａ  無線部
７ｂ  ベースバンド部
７ｃ  制御部
【図１】
0004005221.tif 000002
【図３】
0004005221.tif 000003
【図２】
0004005221.tif 000004
【図４】
0004005221.tif 000005
【図５】
0004005221.tif 000006
【図６】
0004005221.tif 000007
【図７】
0004005221.tif 000008
【図８】
0004005221.tif 000009